(57)【要約】【課題】  表示部の視認性が良好な円錐状の表示板を備えた計器装置を提供する。【解決手段】  深部である底部１９の外周から観察者に向けて徐々に拡径する円錐部２０と、この円錐部２０に形成された平坦部２９に設けられた数字表示部２７（表示部５）とを有する表示板６を備え、円錐部２０の円錐軸Ｌと平坦部２９との成す角度（平坦部２９の傾斜角度α）を、円錐部２０との成す角度（第１の円錐部２４の傾斜角度β）よりも大きくする。【選択図】図２
2010216942.tif 000002
【特許請求の範囲】
【請求項１】
深部から観察者に向けて徐々に拡径する円錐部と、この円錐部に形成された平坦部に設けられた表示部とを有する表示板を備え、前記円錐部の円錐軸と前記平坦部との成す角度が前記円錐部との成す角度よりも大きいことを特徴とする計器装置。
【請求項２】
前記平坦部は、前記円錐部の前記観察者側および前記観察者の反対側の両方に突部を設けることによって形成されることを特徴とする請求項１に記載の計器装置。
【請求項３】
前記平坦部は、前記円錐軸との成す角度が６５度から１１５度の範囲内にあることを特徴とする請求項１または請求項２に記載の計器装置。
【請求項４】
前記表示部は数字表示部からなり、前記平坦部は前記数字表示部の輪郭に沿っていることを特徴とする請求項１から請求項３の何れかに記載の計器装置。
【請求項５】
前記表示部は数字表示部からなり、前記平坦部は前記数字表示部自体であることを特徴とする請求項１から請求項３の何れかに記載の計器装置。
【発明の詳細な説明】
【技術分野】
【０００１】
本発明は、例えば車両に搭載され、立体形状を成す表示板を備えた計器装置に関するものである。
【背景技術】
【０００２】
立体形状を成す表示板を備えた計器装置としては、例えば下記特許文献１がある。特許文献１に記載された計器装置は、深部から観察者側に向けて徐々に拡径する円錐状を成し、この円錐状の表面に目盛１０，数字１１などの表示部が設けられた表示盤３と、表示盤３に設けられた表示部を指し示す指針１３を備えている。この様に、表示盤３を円錐状とすることによって、計器装置に立体感を付与しようとするものである。
【先行技術文献】
【特許文献】
【０００３】
【特許文献１】特開２００８−５１７３０号公報
【発明の概要】
【発明が解決しようとする課題】
【０００４】
しかしながら、特許文献１に記載されている計器装置の表示盤３は、円錐状である傾斜面に表示部が設けられているために、観察者の両眼視差によって特に数字１１が歪んで見えるという問題点を有している。目盛１０は、表示盤３の中心、即ち円錐状の中心を原点として放射状に設けられた線からなるため目立たない。この現象は、円錐状の円錐軸を基準とした円錐状の傾斜面角度が小さい程（円錐軸と傾斜面との成す角度が小さい程）歪みが大きくなり、その結果、視認性に悪影響を及ぼしてしまう。
【０００５】
本発明はこの様な点に鑑みなされたもので、表示部の視認性が良好な円錐状の表示板を備えた計器装置を提供することを目的とする。
【課題を解決するための手段】
【０００６】
本発明は前記目的を達成するため、深部から観察者に向けて徐々に拡径する円錐部と、この円錐部に形成された平坦部に設けられた表示部とを有する表示板を備え、前記円錐部の円錐軸と前記平坦部との成す角度が前記円錐部との成す角度よりも大きいものである。
【０００７】
また、前記平坦部は前記円錐部の前記観察者側および前記観察者の反対側の両方に突部を設けることによって形成されるものである。
【０００８】
また、前記平坦部は前記円錐軸との成す角度が６５度から１１５度の範囲内にあるものである。
【０００９】
また、前記表示部は数字表示部からなり、前記平坦部は前記数字表示部の輪郭に沿っているものである。
【００１０】
また、前記表示部は数字表示部からなり、前記平坦部は前記数字表示部自体であるものである。
【発明の効果】
【００１１】
表示部の視認性が良好な円錐状の表示板を備えた計器装置を得ることができる。
【図面の簡単な説明】
【００１２】
【図１】本発明の第１実施形態を示す計器装置の正面図である。
【図２】同計器装置の断面図（図１に於けるＡ−Ａ断面）である。
【図３】本発明の第２実施形態を示す計器装置の断面図である。
【図４】本発明の第３実施形態を示す表示板の断面図である。
【図５】本発明の第４実施形態を示す表示板の部分断面図である。
【発明を実施するための形態】
【００１３】
本発明の第１実施形態を図１〜図２に基づいて説明する。
【００１４】
計器装置は、硬質な回路基板１と、この回路基板１の裏面側に回路基板１と導通状態で装着され、回路基板１を貫通して前方側に延びる駆動軸２を有する駆動本体３と、駆動軸２に固着され駆動軸２の回転によって回動する指針４と、この指針４の指示対象となる例えば車両の速度を現す表示部５が設けられた円錐状の表示板６と、この表示板６と回路基板１との間に配置され表示板６が支持されるケース部材７を備えている。
【００１５】
また、駆動軸２周りの回路基板１に実装され指針４を照明する光源としての指針照明用発光ダイオード８と、表示板６を照明する光源としての表示板照明用発光ダイオード９と、表示板６の前方側を被う無色透明な合成樹脂からなる透視板１０と、回路基板１の裏面側を覆う合成樹脂製のカバー１１などを備えている。
【００１６】
指針４は、透光性の合成樹脂からなり、駆動本体３の駆動軸２に固着される指針軸１２と、観察者から不可視となる表示板６の裏側に位置して表示板６と回路基板１との間を駆動軸２から遠ざかる方向に延びる第１の支持部１３と、同じく観察者から不可視となる表示板６の裏側に位置して第１の支持部１３から観察者側に延びる第２の支持部１４と、この第２の支持部１４から第１の支持部１３と対向するように延び、先端側が観察者から視認可能となり表示板６の表示部５を指し示す指示部１５とを有してコ字状に形成されている。
【００１７】
第１の支持部１３には、指針照明用発光ダイオード８と対向する箇所に指針照明用発光ダイオード８から導入した光を第２の支持部１４側に反射する第１の反射面１６が設けてある。また、第１の支持部１３と第２の支持部１４との接続部分には、第１の支持部１３からの光を第２の支持部１４側に反射する第２の反射面１７が設けてある。更に、第２の支持部１４と指示部１５との接続部分には、第２の支持部１４からの光を指示部１５側に反射する第３の反射面１８が設けてある。
【００１８】
表示板６は、深部である円板状の底部１９と、この底部１９の外周から観察者側に向かって徐々に拡径する円錐部２０と、前面部２１とを有する円錐状である。また、本実施形態に於いては、円錐部２０の深さ方向のほぼ中間に周方向に沿って形成された立壁部２２を有しており、この立壁部２２に指針４の指示部１５が挿通されるスリット状の開口部２３が指針４の回動範囲に渡って設けてある。従って、円錐部２０は、開口部２３より底部１９側の第１の円錐部２４と開口部２３より前面部２１側の第２の円錐部２５とに分かれる。なお、円錐部２０の円錐軸Ｌは、駆動本体３の駆動軸２と位置および軸芯方向が一致している。
【００１９】
この表示板６は、詳細は図示しないが、無色透明な合成樹脂からなる基板の表面側に、車両の速度を現す表示部５となる例えば白色の着色透過層を印刷した後、表示部５以外の地部２６となる箇所を例えば黒色の遮光層で印刷したものであり、表示部５は数字表示部２７と目盛表示部２８からなる。なお、図１に於いては、表示部５を黒色で、地部２６を無色で示す。
【００２０】
数字表示部２７は第１の円錐部２４に、目盛表示部２８は第２の円錐部２５にそれぞれ設けられるが、数字表示部２７が設けられる第１の円錐部２４箇所には平坦部２９が形成され、この平坦部２９に数字表示部２７が設けられている。本実施形態に於ける平坦部２９は前面側（観察者側）から視認した際、図１に示す様に数字表示部２７の輪郭に沿っており、その断面形状は図２に示す様に、第１の円錐部２４の観察者側に突部３０を設けることによって形成されるものである。また、平坦部２９の傾斜角度α（円錐軸Ｌとの成す角度）は８０度となっており、５０度である第２の円錐部２５の傾斜角度β（円錐軸Ｌとの成す角度）よりも大きくしてある。この表示板６は、印刷後、円錐状に加工される。
【００２１】
ケース部材７は、遮光性のある例えば白色の合成樹脂からなり、周壁３１と、表示板６の底部１９と回路基板１との間の指針４の回動に支障のない箇所に配置され表示板６の底部１９を支える支持壁３２などを有している。周壁３１の前端側と透視板１０との間に表示板６の前面部２１が挟持される。
【００２２】
この様に構成された計器装置に於いて、夜間など周囲が暗い時に例えば白色で発光する指針照明用発光ダイオード８が点灯すると、指針照明用発光ダイオード８からの光は指針４の第１の支持部１３に設けられた第１の反射面１６で反射して第２の支持部１４側に導かれる。そして、第２の反射面１７で反射して指示部１５側に導かれ、第３の反射面１８で反射されて指示部１５の先端側に向かい指示部１５が白色で照明されるようになる。
【００２３】
また、例えば白色で発光する表示板照明用発光ダイオード９が点灯すると、表示板照明用発光ダイオード９からの光は表示板６の裏面側を直射する、或いはケース部材７に反射して表示板６側に向かう。これらの光によって表示板６の表示部５が白色で透過照明されるようになる。なお、表示板６に立壁部２２を設けることによって、観察者側から見た際に立壁部２２に設けられた開口部２３の存在を目立たなくすることができ、美観を向上させることができる。外観に支障を及ぼさないようであれば、立壁部２２を設けることなく同一傾斜面上の第１の円錐部２４と第２の円錐部２５にすれば良い。
【００２４】
この様に、深部である底部１９から観察者に向けて徐々に拡径する円錐部２０と、この円錐部２０に形成された平坦部２９に設けられた数字表示部２７とを有する表示板６を備え、円錐部２０の円錐軸Ｌと平坦部２９との成す角度（平坦部２９の傾斜角度α）を円錐部２０との成す角度（第１の円錐部２４の傾斜角度β）よりも大きくしたことにより、従来の様な数字表示部２７の歪みが抑えられ、数字表示部２７の視認性が良好な円錐状の表示板６を備えた計器装置を得ることができる。
【００２５】
また、表示部５が数字表示部２７からなることで、歪みが生じやすい数字表示部２７であっても歪みを抑えることができると共に、平坦部２９を数字表示部２７の輪郭に沿うように形成することで、歪みが生じやすい数字表示部２７箇所のみが平坦部２９で、他の箇所は円錐状であるため、計器装置の立体感が維持される。
【００２６】
なお、本実施形態に於いては、目盛表示部２８を第２の円錐部２５に設けたが、前面部２１に設けても良い。或いは第１の円錐部２４に設けるようにしても良い。また、表示板６の底部１９の前面側の空間に、例えばＬＣＤ表示器を配置するようにしても良い。その際、ＬＣＤ表示器に隠れて観察者側から見えないようであれば、底部１９は設けず穴であっても良い。
【００２７】
また、平坦部２９の傾斜角度αを８０度としたが、６５度以上９０度までの範囲であれば歪みも少なく視認性に悪影響を及ぼさないレベルである。また、平坦部２９は円錐軸Ｌ側が観察者側に近い傾斜面（図２に示した傾斜とは逆傾斜）でも良い。従って、平坦部２９は円錐軸Ｌとの成す角度が６５度から１１５度の範囲内にあれば視認性に大きな悪影響を及ぼさない。
【００２８】
本発明の第２実施形態を図３に基づいて説明する。本実施形態は前記第１実施形態とは表示板６の形状が異なる。また、表示板６の前面側に指針４を配置し観察者から指針４全体が視認されるようにしたものであり、図１に於けるＡ−Ａ断面に相当する。なお、前記第１実施形態と同一もしくは相当箇所については同一符号を付して詳細説明は省略する。
【００２９】
指針４は、透光性の合成樹脂からなる指示部１５と、駆動本体３の駆動軸２に固着される指針軸１２と、指針軸１２の前方側および周囲を覆う例えば黒色の合成樹脂からなる指針キャップ３３を備えており、指示部１５は表示板６の円錐部２０に沿うように屈曲している。
【００３０】
表示板６は、前記第１実施形態と同様に、深部である円板状の底部１９と、この底部１９の外周から観察者側に向かって徐々に拡径する円錐部２０と、前面部２１とを有する円錐状である。また、底部１９には駆動本体３の駆動軸２や指針４の指針軸１２が挿通される貫通穴３４が設けてある。なお、円錐部２０の円錐軸Ｌは、駆動本体３の駆動軸２と位置および軸芯方向が一致している。
【００３１】
円錐部２０には、数字表示部２７と目盛表示部２８からなる表示部５が設けられるが、数字表示部２７が設けられる円錐部２０箇所には平坦部２９が形成され、この平坦部２９に数字表示部２７が設けられている。平坦部２９は前面側（観察者側）から視認した際は、前記第１実施形態と同様に数字表示部２７の輪郭に沿っており、その断面形状は図３に示す様に、観察者の反対側に突部３０Ａを設けることによって形成されるものである。また、平坦部２９の傾斜角度α（円錐軸Ｌとの成す角度）は８０度となっており、５０度である円錐部２０の傾斜角度β（円錐軸Ｌとの成す角度）よりも大きくしてある。この表示板６は、印刷後、円錐状に加工される。
【００３２】
ケース部材７は、遮光性のある例えば白色の合成樹脂からなり、周壁３１と、指針照明用発光ダイオード８を囲むように表示板６の底部１９と回路基板１との間に配置された断面が円形の筒部３５などを有している。周壁３１の前端側と透視板１０との間に表示板６の前面部２１が挟持される。
【００３３】
この様に構成された計器装置に於いて、夜間など周囲が暗い時に例えば白色で発光する指針照明用発光ダイオード８が点灯すると、指針照明用発光ダイオード８からの光は指針４の指示部１５側に導かれて指示部１５が白色で照明されるようになる。また、例えば白色で発光する表示板照明用発光ダイオード９が点灯した際も、前記第１実施形態と同様に、表示板６の表示部５が白色で透過照明されるようになる。
【００３４】
この様に構成したことにより、前記第１実施形態と同様に、従来の様な数字表示部２７の歪みが抑えられ、数字表示部２７の視認性が良好な円錐状の表示板６を備えた計器装置を得ることができる。
【００３５】
本発明の第３実施形態を図４に基づいて説明する。本実施形態は前記第２実施形態とは表示板６の形状が異なる。なお、前記第２実施形態と同一もしくは相当箇所については同一符号を付して詳細説明は省略する。
【００３６】
表示板６は、前記第２実施形態と同様に、深部である円板状の底部１９と、この底部１９の外周から観察者側に向かって徐々に拡径する円錐部２０と、前面部２１とを有する円錐状である。
【００３７】
円錐部２０には、数字表示部２７と目盛表示部２８からなる表示部５が設けられるが、数字表示部２７が設けられる円錐部２０箇所には平坦部２９が形成され、この平坦部２９に数字表示部２７が設けられている。平坦部２９は前面側（観察者側）から視認した際は、前記各実施形態と同様に数字表示部２７の輪郭に沿っており、その断面形状は図４に示す様に、観察者側と観察者の反対側の両方に突部３０，３０Ａを設けることによって形成されるものである。また、前記各実施形態と同様に、平坦部２９の傾斜角度α（８０度）は円錐部２０の傾斜角度β（５０度）よりも大きくしてある。
【００３８】
この様に構成したことにより、前記各実施形態と同様に、従来の様な数字表示部２７の歪みが抑えられ、数字表示部２７の視認性が良好な円錐状の表示板６を備えた計器装置を得ることができる。また、平坦部２９の断面形状を観察者側と観察者の反対側の両方に突部３０，３０Ａを設けることによって形成されるようにしたため、円錐部２０に対する突部の出っ張り量が観察者側と反観察者側に分散され、円錐部２０の凹凸量が少ない傾斜であっても表示部５の視認性が良好であると共に、円錐部２０をより維持した状態で立体感を出すことが可能となる。
【００３９】
本発明の第４実施形態を図５に基づいて説明する。本実施形態は前記第２実施形態とは表示板６の形状が異なる。なお、前記第２実施形態と同一もしくは相当箇所については同一符号を付して詳細説明は省略する。
【００４０】
表示板６は、前記第２実施形態と同様に、深部である円板状の底部１９と、この底部１９の外周から観察者側に向かって徐々に拡径する円錐部２０と、前面部２１とを有する円錐状である。なお、底部１９と前面部２１は図示せず。
【００４１】
円錐部２０には、数字表示部２７と目盛表示部２８からなる表示部５が設けられるが、数字表示部２７が設けられる円錐部２０箇所には平坦部２９が形成されている。本実施形態に於ける平坦部２９は数字表示部２７自体である。また、数字表示部２７の表面である平坦部２９の傾斜角度α（８０度）は、前記各実施形態と同様に、円錐部２０の傾斜角度β（５０度）よりも大きくしてある。数字表示部２７の表面には白色の着色透過層が印刷されており、表面以外は黒色の遮光層で覆われている。
【００４２】
この様に構成したことにより、前記各実施形態と同様に、従来の様な数字表示部２７の歪みが抑えられ、数字表示部２７の視認性が良好な円錐状の表示板６を備えた計器装置を得ることができる。また、平坦部２９が数字表示部２７自体であるため、数字表示部２７に立体感が加わり、より立体感のある計器装置となる。
【００４３】
なお、本発明は前記各実施形態に限定されるものではない。例えば前記第１実施形態に於ける表示板に代えて、前記第２〜第４実施形態の表示板を適用するようにしても良い。或いは、前記第２実施形態に於ける表示板に代えて、前記第１実施形態の表示板を適用するようにしても良い。
【符号の説明】
【００４４】
５  表示部
６  表示板
Ｌ  円錐軸
１９  底部（深部）
２０  円錐部
２４  第１の円錐部
２５  第２の円錐部
２７  数字表示部
２８  目盛表示部
２９  平坦部
３０，３０Ａ  突部
α，β  傾斜角度
【図１】
2010216942.tif 000003
【図２】
2010216942.tif 000004
【図３】
2010216942.tif 000005
【図４】
2010216942.tif 000006
【図５】
2010216942.tif 000007